(57)【要約】【課題】遠視野領域および近視野領域の間の屈折力領域の分配状態が装着者の目の経路および眼球の屈折力の必要条件を概ね満足する眼鏡レンズを提供する。【解決手段】第１のチャンネルおよび第１のチャンネル屈折力プロファイルを有する第１の表面部分と、および第２のチャンネルおよび第２のチャンネル屈折力プロファイルを有する第２の表面部分とから成るレンズにおいて、当該レンズのチャンネル屈折力プロファイルが前記第１のチャンネル屈折力プロファイルおよび第２のチャンネル屈折力プロファイルのベクトル和であるレンズ、及び眼鏡レンズの製造方法。【選択図】なし【特許請求の範囲】
【請求項１】
第１のチャンネルおよび第１のチャンネル屈折力プロファイルを有する第１の表面部分と、および第２のチャンネルおよび第２のチャンネル屈折力プロファイルを有する第２の表面部分とから成るレンズにおいて、当該レンズのチャンネル屈折力プロファイルが前記第１のチャンネル屈折力プロファイルおよび第２のチャンネル屈折力プロファイルのベクトル和であるレンズ。
【請求項２】
（ａ）装着者が遠視野域、中間視野域および近視野域の各位置にある目的物を見ている時のレンズ装着者の目の経路および必要な屈折力を測定する工程と、（ｂ）当該レンズ装着者の目の経路および必要な屈折力に基づいたチャンネル屈折力プロファイルを有するレンズを備える工程とから成る眼鏡レンズの製造方法。
【請求項３】
前記工程（ｂ）が、第１のチャンネルおよび第１のチャンネル屈折力プロファイルを有する第１の表面部分と、および第２のチャンネルおよび第２のチャンネル屈折力プロファイルを有する第２の表面部分とから成るレンズを備えることにより行われ、当該レンズのチャンネル屈折力プロファイルが前記第１のチャンネル屈折力プロファイルおよび第２のチャンネル屈折力プロファイルのベクトル和である請求項２に記載の方法。
【発明の詳細な説明】
【技術分野】
【０００１】
本発明は多焦点眼鏡レンズに関する。特に、本発明はチャンネル式の屈折力の進行度が装着者の見る姿勢にそれぞれ適合するレンズを提供する。
【背景技術】
【０００２】
屈折異常（非正規）症の補正のために眼鏡レンズを使用することが周知である。例えば、進行付加型レンズ（「ＰＡＬ：ｐｒｏｇｒｅｓｓｉｖｅ  ａｄｄｉｔｉｏｎ  ｌｅｎｓ」）のような多焦点レンズが老眼の治療に使用される。一般に、ＰＡＬは遠視野領域、中間領域、および近視野領域をこれらのジオプトリ屈折力が漸進的で連続的に進行して増加する状態で備えている。このＰＡＬは、二焦点型および三焦点型のような別の種類の多焦点レンズに見られる光屈折力の領域間において目で見える境目がないことの便利さを装着者に訴えている。
【０００３】
装着者の目がＰＡＬの遠視野領域から中間領域を経て近視野領域に移動する時に、装着者の目が収束してそれらの瞳が近づいて集合する。理想的には、ＰＡＬの構成が、遠視野領域から中間領域を経て近視野領域に進行する屈折力が目によるレンズ走査時の装着者の要求に対応できるように行なわれることである。しかしながら、従来のＰＡＬの構成においては、屈折力の進行度の分配とレンズの不所望な非点収差の程度との間で作用効果が互いに打ち消し合う関係になっている。
【０００４】
不所望な非点収差は１個以上のレンズ表面により誘導または生じる非点収差であり、装着者における画像のぼやけ、ゆがみ、ずれを生じる。このような不所望な非点収差を減少するためには、屈折力の進行領域を特定の構成においてより広い長さにわたって分配する必要がある。しかしながら、このように長さを広げた分配により、屈折力領域の分配状態が装着者の要求に適合しなくなり、装着者はそれぞれの自然な見る姿勢や頭部および目の位置を変えてレンズの中間領域および近視野領域を使用する必要がある。一方、屈折力の進行領域が比較的狭い長さで分配されているレンズ構成ほどより自然な見る姿勢が与えられるが、不所望な非点収差の程度が増大してレンズの使用可能な領域が狭くなる。
【発明の概要】
【発明が解決しようとする課題】
【０００５】
それゆえ、装着者の自然な目の経路の必要条件に適合した屈折力の進行領域の分配状態を提供するが、レンズの不所望な非点収差を増大しないＰＡＬが要望されている。加えて、装着者の好ましい見る姿勢を決定して装着者がレンズの使用に適合する見る姿勢を個別に採る必要性を排除するための方法が要望されている。
【課題を解決するための手段】
【０００６】
本発明は以下のとおりである。
（１）第１のチャンネルおよび第１のチャンネル屈折力プロファイルを有する第１の表面部分と、および第２のチャンネルおよび第２のチャンネル屈折力プロファイルを有する第２の表面部分とから成るレンズにおいて、当該レンズのチャンネル屈折力プロファイルが前記第１のチャンネル屈折力プロファイルおよび第２のチャンネル屈折力プロファイルのベクトル和であるレンズ。
（２）（ａ）装着者が遠視野域、中間視野域および近視野域の各位置にある目的物を見ている時のレンズ装着者の目の経路および必要な屈折力を測定する工程と、（ｂ）当該レンズ装着者の目の経路および必要な屈折力に基づいたチャンネル屈折力プロファイルを有するレンズを備える工程とから成る眼鏡レンズの製造方法。
（３）前記工程（ｂ）が、第１のチャンネルおよび第１のチャンネル屈折力プロファイルを有する第１の表面部分と、および第２のチャンネルおよび第２のチャンネル屈折力プロファイルを有する第２の表面部分とから成るレンズを備えることにより行われ、当該レンズのチャンネル屈折力プロファイルが前記第１のチャンネル屈折力プロファイルおよび第２のチャンネル屈折力プロファイルのベクトル和である（２）に記載の方法。
【発明の効果】
【０００７】
本発明はレンズおよび当該レンズの構成および製造のための方法を提供し、当該方法において、遠視野領域および近視野領域の間の屈折力領域の分配状態が装着者の目の経路および眼球の屈折力の必要条件を概ね満足する。このような屈折力領域の分配状態は、付加的な不所望な非点収差を導入することによる使用可能なレンズ表面を減少することなく得ることができる。
【図面の簡単な説明】
【０００８】
【図１】実施例２、実施例３および実施例４のレンズのレンズ・チャンネル屈折力プロファイルの概略図である。
【図２】実施例２、実施例３および実施例４のレンズにおける表面チャンネル屈折力プロファイルの概略図である。
【図３】実施例５および実施例６のレンズにおける表面チャンネル屈折力プロファイルの概略図である。
【図４】実施例５および実施例６のレンズにおけるレンズ・チャンネル屈折力プロファイルの概略図である。
【図５】実施例７のレンズにおけるレンズ・チャンネル屈折力プロファイルの概略図である。
【図６】実施例７のレンズにおける表面チャンネル屈折力プロファイルの概略図である。
【発明を実施するための形態】
【０００９】
実施形態の一例において、本発明は第１のチャンネルおよび第１のチャンネル屈折力プロファイルを有する第１の表面部分および第２のチャンネルおよび第２のチャンネル屈折力プロファイルを有する第２の表面部分から成る、またはこれらの第１の表面部分および第２の表面部分により概ね構成されている、またはこれらの第１の表面部分および第２の表面部分のみにより構成されているレンズを提供し、当該レンズのチャンネル屈折力プロファイルは上記第１のチャンネル屈折力プロファイルおよび第２のチャンネル屈折力プロファイルのベクトル合計である。この場合の「レンズ（ｌｅｎｓ）」とは、眼鏡レンズ、コンタクトレンズ、眼内レンズ等を含むがこれらに限らない任意の眼用レンズを意味する。好ましくは、本発明のレンズは眼鏡レンズである。
【００１０】
本発明のレンズにおいて使用する表面部分は進行付加型または後退型の表面部分とすることができる。この「進行付加型の表面部分（ｐｒｏｇｒｅｓｓｉｖｅ  ａｄｄｉｔｉｏｎ  ｓｕｒｆａｃｅ）」とは、遠視野領域および近視野領域、およびこれらの遠視野領域と近視野領域を連接する増加するジオプトリ値の屈折力領域を有する連続的で非球面状の表面部分を意味する。また、「後退型の表面部分（ｒｅｇｒｅｓｓｉｖｅ  ｓｕｒｆａｃｅ）」とは、遠視野領域および近視野領域、およびこれらの遠視野領域と近視野領域を連接する減少するジオプトリ値の屈折力領域を有する連続的で非球面状の表面部分を意味する。また、「チャンネル（ｃｈａｎｎｅｌ）」とは、装着者の目が中間領域を経て近視野領域に走査する時およびその逆の時に約０．７５ジオプトリ以上の不所望な非点収差の無い視野の通路を意味する。さらに、「チャンネル屈折力プロファイル（ｃｈａｎｎｅｌ  ｐｏｗｅｒ  ｐｒｏｆｉｌｅ）」または「屈折力プロファイル」とは、チャンネルの長さに沿った屈折力領域の分配を意味する。また、「チャンネルの長さ「（ｃｈａｎｎｅｌ  ｌｅｎｇｔｈ）」とは、レンズのフィッティング点からジオプトリ付加屈折力が表面部分のジオプトリ付加屈折力の約８５％になるチャンネルに沿う点までの距離を意味する。さらに、この場合の「フィッティング点（ｆｉｔｔｉｎｇ  ｐｏｉｎｔ）」とは、装着者が前方をまっすぐに見ている状態で遠視野位置にある装着者の瞳に位置合わせしているレンズ上の点を意味する。また、「ジオプトリ付加屈折力（ｄｉｏｐｔｒｉｃ  ａｄｄ  ｐｏｗｅｒ）」とは、レンズまたはレンズ表面部分における近視野領域および遠視野領域の間のジオプトリ値における屈折力の差の量を意味する。
【００１１】
本発明により発見したことの一つは、特定のレンズ装着者の必要条件に適合するチャンネル屈折力プロファイルがそれぞれ一定のチャンネル屈折力プロファイルを有している少なくとも２個の表面部分により実現できることである。このチャンネル屈折力プロファイルはほぼ同一であってもよく、異なっていてもよい。また、これらの表面部分のチャンネルは整合していてもよく、ずれていてもよい。この「整合している（ａｌｉｇｎｅｄ）」とは、１個のチャンネルにおける主要な基準点が別のチャンネルにおける主要な基準点と重なっていることを意味する。さらに、「主要な基準点（ｍａｊｏｒ  ｒｅｆｅｒｅｎｃｅ  ｐｏｉｎｔ）」とは、主経線とチャンネルの開始部すなわちｘ＝０、ｙ＝０との交差点を意味する。また、「ずれている（ｄｉｓｐｌａｃｅｄ）」とは、１個のチャンネルの主要な基準点が別のチャンネルの主要な基準点から下方にずれていることを意味する。いずれの実施形態も、大きな範囲のチャンネル屈折力プロファイルを可能にしながら、必要な表面部分の数を制限することができる。
【００１２】
一般に、進行型レンズのチャンネル屈折力プロファイルすなわちＰ（ｘ，ｙ）は当該レンズの各表面部分のプロファイルのベクトル和として計算できる。例えば、各表面部分がチャンネル屈折力プロファイルＰ’（ｘ，ｙ）およびＰ”（ｘ，ｙ）をそれぞれ有している２個の進行型表面部分Ｓ’およびＳ”を有するレンズの場合に、このレンズの屈折力プロファイルは以下の式に従って計算できる。
Ｐ（ｘ，ｙ）＝Ｐ’（ｘ，ｙ）＋Ｐ”（ｘ−ｄｘ，ｙ−ｄｙ）  （１）
この式において、ｄｘおよびｄｙは表面部分Ｓ”に対する表面Ｓ’のフィッティング点のずれのｘおよびｙの成分である。
【００１３】
例えば、Ｓ’が凸状の進行型表面部分であり、Ｓ”が凹状の表面部分とすることができる。この場合に、表面部分Ｓ”はＳ’に対して距離ｄｙだけ垂直下方にずれていてもよい。さらに、Ｌ’が表面部分Ｓ’のチャンネルの長さであり、Ｌ”が表面部分Ｓ”のチャンネルの長さであって、Ｌ”＞Ｌ’である場合に、表面部分Ｓ’およびＳ”を組み合わせて形成したこのレンズのチャンネルの長さＬはＬ＝Ｌ”＋ｄｙとして計算できる。このチャンネル屈折力プロファイルは式１に従って変化する。しかしながら、Ｌ”＜Ｌ’＋ｄｙであれば、Ｓ”のＳ’に対する下方のずれはレンズのチャンネルの長さを変化せずにＬ＝Ｌ’のままとなるが、このチャンネル内のチャンネル屈折力プロファイルを変更する。一方、Ｓ’およびＳ”がずれていない場合、すなわち、ｄｘ＝ｄｙ＝０の場合は、チャンネルの長さＬはＬ’およびＬ”のより長いものとなり、その屈折力プロファイルは変化して式１に従うベクトル和になる。
【００１４】
それゆえ、個々の表面部分およびずれの距離のチャンネル屈折力プロファイルのいずれか一方または両方を選択することにより、特定の装着者に対してチャンネル屈折力プロファイルを独立して適合することができる。また、このチャンネル・プロファイルの差およびずれのいずれか一方または両方により、各表面部分の最大の不所望な非点収差の領域間のずれが生じて、レンズの全体的な最大の非点収差が個々の表面部分の和よりも小さくなる。
【００１５】
好ましくは、２個の進行型の表面部分で、１個が凸状で１個が凹状の表面部分であって、同一または類似のチャンネル屈折力プロファイルを有するものが使用されていて、レンズの変化するチャンネル屈折力プロファイルがずれにより得られる。このような表面部分のチャンネルのずれは、各チャンネルの中心線および各チャンネルの横方向の端部の整合のいずれか一方、好ましくはこれらの両方が維持されるような様式で行う必要がある。このようにすることにより、チャンネル内のゆがみの程度を許容不能にすることが回避できる。さらに、このずれは、装着者の視覚を乱すように作用する許容不能なプリズム屈折力が生じないように行う必要がある。さらに好ましくは、このずれは表面部分のチャンネルの各中心線に沿っていて、中心線の整合が維持されている。このずれは約０．１ｍｍ乃至約２０ｍｍ、好ましくは約１ｍｍ乃至約１０ｍｍ、さらに好ましくは約２ｍｍ乃至約７ｍｍとすることができる。
【００１６】
別の実施形態においては、本発明は、（ａ）装着者が遠視野域、中間域および近視野域の各位置にある目的物を見ている時のレンズ装着者の経路および必要な屈折力を測定する工程と、（ｂ）当該レンズ装着者の目の経路および必要な屈折力に基づいたチャンネル屈折力プロファイルを有するレンズを備える工程とから成る、または概ねこれらの工程（ａ）および工程（ｂ）により構成されている、またはこれらの工程（ａ）および工程（ｂ）のみにより構成されている方法を提供する。なお、「目の経路（ｅｙｅ  ｐａｔｈ）」とは、装着者の目がフィッティング点から装着者の自然な近視野位置まで走査する時のレンズ装着者の瞳に整合した進行型または後退方表面部分上の経路を意味する。
【００１７】
本発明の上記の方法において、レンズ装着者に対応するチャンネル屈折力はレンズ装着者の目の経路および当該目の経路に沿って装着者が必要とする屈折力を決定することにより得られる。この目の経路は任意の既知の技法により決定できる。例えば、装着者は１個以上のレンズを備えることができる。その後、装着者は自然な見る姿勢を維持しながら遠視野域、中間域、および近視野域の場所における少なくとも３個の目的物を見る。この場合に、目の経路に沿って測定を多く行うほど、得られる屈折力プロファイルの精度が高くなることが考えられる。それゆえ、この目の経路に沿って少なくとも３個の点を測定することが好ましい。その後、例えば、目の経路に沿ってレンズ表面を標識することにより、目の瞳の位置が記録される。さらに、従来的な眼球チャート（図表）または固定した標的物を使用して、この測定中に安定な瞳の位置が維持されていることを確認することができる。
【００１８】
各測定場所において装着者が必要とする屈折力は試行レンズまたはホロプター（ｐｈｏｒｏｐｔｅｒ）の使用を含むがこれらに限らない当業界において周知の技法を使用することにより決定できる。その後、装着者が必要とするチャンネル屈折力プロファイルを目の経路に沿った各位置における屈折力の測定値から計算する。使用可能な従来法の一例はフィッティング点よりも下方の長さの関数としてプロットした場合に滑らかな曲線により各屈折力測定値を図画的に繋げることである。当該技術分野における通常の熟練者であれば、各測定値を通して最良の式により適合する方法等の任意の種々の別の方法が使用できることが理解され、これらの方法は全て本発明の範囲内に含まれる。装着者の目のはそれぞれ通常は特異的な目の経路を有しているので、レンズ装着者に対応する目の経路の測定はそれぞれの目に対して別個に行うのが好ましい。
【００１９】
本発明のレンズおよび方法は個々の装着者に対応する種々の屈折力プロファイルを提供するために使用でき、各プロファイルは装着者により行われる特定の使用目的を達成するのに適している。例えば、ずれによりチャンネル・プロファイルの長さを増大させて、中間域の用途に対応する屈折力の平坦な部分を構成できる。あるいは、このプロファイルを短小化して読書用の細長い近視野領域を構成できる。
【００２０】
本発明のレンズにおいて使用する進行型の表面部分または後退型の表面部分は市販の設計ソフトウエアの使用を含むがこれに制限されない任意の既知の方法により構成および最適化できる。このような表面部分は凸状表面部分、凹状表面部分、凸状表面部分および凹状表面部分の中間の表面部分、またはこれらの組み合わせの上に構成できる。なお、当該技術分野における通常の熟練者であれば、進行型表面部分がレンズの凸状表面部分を形成している場合に、その遠視野領域部分の曲率が近視野領域部分の曲率よりも小さくなることが理解できると考える。逆に、進行型表面部分がレンズの凹状表面部分と成っている場合には、遠視野領域部分の曲率が近視野領域部分の曲率よりも大きくなる。
【００２１】
各表面部分のチャンネル屈折力プロファイルは線形関数、スプライン関数、三角関数等を含むがこれらに限らない任意の既知の屈折力プロファイルから選択できる。また、各表面部分に対応するチャンネル屈折力プロファイルは同一であってもよく、あるいは、異なっていてもよい。いずれの場合においても、各レンズに対応するチャンネル屈折力プロファイルは、装着者が自然な見る姿勢を維持している時における装着者の目の経路および屈折率における必要条件を概ね満足する必要がある。
【００２２】
屈折力の進行度が遠視野領域から近視野領域まで減少している表面部分が使用されている場合に、この表面のジオプトリ付加屈折力はゼロ以下となる。本発明において使用する各表面部分のジオプトリ付加屈折力は、これらの表面部分が組み合わされて１個のレンズを構成する場合に、このレンズの付加屈折力が装着者の近視野領域における視覚の鮮明さを補正するのに必要な屈折力に等しくなるように選択される。
【００２３】
本発明において使用する各表面部分のジオプトリ付加屈折力は個々に約−３．００ジオプトリ乃至約＋６．００ジオプトリ、好ましくは約−２．００ジオプトリ乃至約＋５．００ジオプトリ、さらに好ましくは約−１．００ジオプトリ乃至約＋４．００ジオプトリとすることができる。また、各表面部分は球面屈折力、円柱面屈折力および軸、またはこれらの組み合わせを含むことができる。
【００２４】
本発明のレンズは任意の従来手段により製造でき、眼鏡レンズの製造に適する任意の既知の材料により構成できる。適当な材料としては、ポリカーボネート、アリル・ジグリコール、ポリメタクリレート等が含まれるがこれらに限らない。このような材料は市販のものであるか、その製造方法が既知のものである。さらに、（本発明の）レンズは研削、全体レンズ・キャスティング、成形、熱成形、ラミネート処理、表面キャスティング、またはこれらの組み合わせ等を含むがこれらに限らない任意の従来的なレンズ製造技法により製造できる。キャスティング（注入成形）は任意の手段により行うことができるが、本明細書に参考文献として含まれる米国特許第５，１４７，５８５号、同第５，１７８，８００号、同第５，２１９，４９７号、同第５，３１６，７０２号、同第５，３５８，６７２号、同第５，４８０，６００号、同第５，５１２，３７１号、同第５，５３１，９４０号、同第５，７０２，８１９号および同第５，７９３，４６５号に記載されているものを含むがこれらに限らない表面キャスティングにより行われる。
【実施例】
【００２５】
本発明を以下の非制限的な実施例によりさらに鮮明に説明する。
【００２６】
［実施例１］
装着者が遠視野域、中間視野域、および近視野域の各位置における目的物を見ている時の当該レンズ装着者の瞳の位置を撮影する。この装着者は遠視野域および中間視野域用の各単一視野レンズおよび近視野域用の読書用レンズを装着する。遠視野域を見る場合に、Ｓｎｅｌｌｅｎ  眼球チャートを装着者の瞳から３ｍの位置に配置し、中間視野域を見る場合には、このチャートを瞳から６４ｍｍの位置にあるテーブル上に配置した。さらに、近視野域を見る場合には、このチャートを当該装着者の自然な読書位置に配置し、実施例１の装着者の場合においては、この位置は瞳から約４０ｍｍとした。この結果、装着者は上記の遠視野域、中間視野域、および近視野域に対してそれぞれ０．００ジオプトリ，１．００ジオプトリおよび２．００ジオプトリの球面屈折力を必要とすることが分かった。この結果、中間視野域および近視野域を見ている場合に対応するレンズの各凸状表面部分の上に投影した瞳の位置が、遠視野域を見ている時の瞳の位置よりも、それぞれ、垂直下方に８．５ｍｍおよび１７．５ｍｍになることが分かった。従って、このレンズ装着者が必要とする近視野領域の中心点をそのチャンネル端部の下方約４ｍｍに配置して、そのチャンネル長を１７．５ｍｍ−４．０ｍｍ＝１３．５ｍｍにすればよいことが分かる。
【００２７】
［実施例２］
凸状の進行型表面部分および凹状の進行型表面部分を備える。この凸状表面部分は遠視野領域の曲率が６．００ジオプトリで近視野領域の曲率が７．００ジオプトリである。この凸状表面部分のチャンネル屈折力プロファイルを凸状プロファイルＡとして図２に示す。この表面部分のチャンネル長は１１ｍｍである。一方、凹状表面部分は遠視野領域の曲率が６．００ジオプトリで近視野領域の曲率が５．００ジオプトリである。この凹状表面部分のチャンネル屈折力プロファイルを凹状プロファイルＣとして図２に示し、このチャンネル長は１３ｍｍである。また、この凹状表面部分のチャンネルの主基準点は凸状表面部分の光学的中心に対して下方に２ｍｍずれている。この結果として得られるレンズは０．００ジオプトリおよび２．００ジオプトリの遠視野域屈折力領域および付加屈折力領域をそれぞれ有し、当該付加屈折力における１．００ジオプトリが各表面部分による寄与を受けている。さらに、この結果として得られるチャンネル屈折力プロファイルは実施例１のレンズ装着者により必要とされ、かつ、図１に示される屈折力プロファイルに適合する。このレンズのチャンネル長は１３．５５ｍｍであり、その中間視野領域の位置はフィッティング点の下方８．５ｍｍであって、実施例１における装着者の瞳の計測値に一致している。
【００２８】
［実施例３乃至実施例４］
実施例１の方法により２人の装着者を測定し、中間視野域および近視野域を見る場合のそれぞれの瞳の位置の測定値が実施例３の装着者の場合に９．５ｍｍおよび１９ｍｍで、実施例４の装着者の場合に１０．５ｍｍおよび２１ｍｍであることが分かった。この結果、両方の装着者が遠視野域、中間視野域および近視野域に対してそれぞれ０．００ジオプトリ，１．００ジオプトリおよび２．００ジオプトリの屈折力補正を必要としていることが分かった。
【００２９】
本発明によるレンズは各装着者に対応して作成される。各レンズの凸状の進行型表面部分は６．００ジオプトリの遠視野領域の曲率および７．００ジオプトリの近視野領域の曲率を有している。このような凸状表面部分のチャンネル屈折力プロファイルを凸状プロファイルＡとして図２に示し、そのチャンネル長は１１ｍｍである。また、凹状の進行型表面部分は６．００ジオプトリの遠視野領域の曲率および５．００ジオプトリの近視野領域の曲率を有している。このような凹状表面部分のチャンネル屈折力プロファイルを凹状プロファイルＤおよび凹状プロファイルＥとして図２にそれぞれ示し、このチャンネル長は１１ｍｍである。さらに、各レンズの凹状表面部分のチャンネルにおける主基準点は凸状表面部分の主基準点に対して実施例３および実施例４の場合にそれぞれ４ｍｍおよび６ｍｍだけ下方にずれている。この結果として得られる各レンズのチャンネル屈折力プロファイルを図１に示す。すなわち、実施例３および実施例４に対応する各チャンネル長は近視野域を見る場合の各レンズ装着者の瞳の位置により必要とされるようにそれぞれ１５ｍｍおよび１７ｍｍであり、各中間視野領域の位置はそれぞれ９．５ｍｍおよび１０．５ｍｍだけフィッティング点から下方である。
【００３０】
［実施例５乃至実施例６］
実施例１の方法により２人の装着者を測定し、中間視野域および近視野域を見る場合のそれぞれの瞳の位置の測定値が実施例５の装着者の場合にフィッティング点から５ｍｍおよび１５ｍｍ下方であり、実施例６の装着者の場合に７．５ｍｍおよび１５ｍｍ下方であることが分かった。この結果、両方の装着者が遠視野域、中間視野域および近視野域に対してそれぞれ０．００ジオプトリ，１．００ジオプトリおよび２．００ジオプトリの補正を必要としているが、実施例５の装着者は実施例６の装着者に比べてそのチャンネルの上部においてより迅速な屈折力の進行を必要としていることが分かった。
【００３１】
図４は上記の装着者用に作成したレンズ・チャンネルプロファイルを示している図である。各レンズの凸状表面部分は６．００ジオプトリの遠視野領域の曲率および７．００ジオプトリの近視野領域の曲率を有しており、凸状プロファイルＦとして図３に示されている。このチャンネル長は１１ｍｍである。また、凹状表面部分は６．００ジオプトリの遠視野領域の曲率および５．００ジオプトリの近視野領域の曲率を有している。この凹状表面部分のチャンネル屈折力プロファイルを凹状プロファイルＧおよび凹状プロファイルＨとして図３にそれぞれ示されている。これら両方の凹状表面部分の場合のチャンネル長は５．５ｍｍである。実施例６の場合の凹状表面部分の光学的中心は凸状表面部分の光学的中心に一致している。一方、実施例５の場合は、凸状表面部分の光学的中心が凹状表面部分の光学的中心よりも下方に４ｍｍずれている。この結果として得られる双方のレンズの各遠視野域屈折力および付加屈折力は０．００ジオプトリおよび２．００ジオプトリであり、付加屈折力の各１．００ジオプトリが各表面部分による寄与を受けている。図４に示す各レンズのチャンネル屈折力プロファイルは各装着者の瞳の位置および屈折力進行度についての必要条件を満たしている。従って、各レンズのチャンネル長は１１ｍｍであるが、各中間視野領域の位置がフィッティング点から５ｍｍおよび７．５ｍｍ下方にそれぞれ位置している。
【００３２】
［実施例７］
実施例１の方法によりレンズ装着者を測定して、その中間視野域および近視野域を見る場合の瞳の位置の測定値をそれぞれ７ｍｍおよび１５．５ｍｍと決めて、そのチャンネル長を１５．５ｍｍ−４．００ｍｍ＝１１．５ｍｍとした。この装着者は遠視野域、中間視野域、および近視野域に対して０．００ジオプトリ，１．００ジオプトリおよび２．００ジオプトリの屈折力補正が必要である。さらに、この装着者に適合するレンズ・チャンネル屈折力プロファイルを図５に示す。
【００３３】
レンズは凸状の進行型表面部分および凹状の後退型表面部分により形成されている。凸状の表面部分は６．００ジオプトリの遠視野領域の曲率および９．００ジオプトリの近視野領域の曲率を有しており、凸状プロファイルＩとして図６に示すチャンネル屈折力プロファイルを有している。このチャンネル長は１４ｍｍである。また、凹状表面部分は６．００ジオプトリの遠視野領域の曲率および７．００ジオプトリの近視野領域の曲率を有しており、凹状プロファイルＪとして図６に示すチャンネル屈折力プロファイルを有している。このチャンネル長は１３．５ｍｍである。この凹状表面部分の光学的中心は凸状表面部分の光学的中心に対して２ｍｍ下方にずれている。この結果として得られるレンズの遠視野域屈折力および付加屈折力はそれぞれ０．００ジオプトリおよび２．００ジオプトリであり、付加屈折力の内の３．００ジオプトリが凸状表面部分による寄与を受けており、付加屈折力の−１．００ジオプトリが凹状表面部分により寄与を受けている。結果として得られるチャンネル屈折力プロファイルを図５に示す。このチャンネル長は１５ｍｍであり、中間視野領域の位置はフィッティング点から約８ｍｍ程度下方であって、装着者の瞳の測定値に一致している。
【図１】
2011034122.tif 000002
【図２】
2011034122.tif 000003
【図３】
2011034122.tif 000004
【図４】
2011034122.tif 000005
【図５】
2011034122.tif 000006
【図６】
2011034122.tif 000007